(57)【要約】【課題】複数の施設における入出門状況管理および入出門ＩＤカードの再発行管理を統合的に行うことができる入出門ＩＤカード管理システムおよび方法を提供する。【解決手段】入出門ＩＤカード管理システム１は、入出門ＩＤカード統合管理装置１０と、入出門ＩＤカード統合管理装置１０と通信回線４０を介して相互接続された複数の入出門ＩＤカード管理装置２０，３０とを具備する。入出門ＩＤカード統合管理装置１０は、入出門状況データベース１７に格納されている入出門状況に関するデータを読み出して、特定の入出門ＩＤカードについて異常な入出門または再発行が行われていないかをチェックし、異常な入出門または再発行が行われている入出門ＩＤカードが見つかると、その旨を、複数の施設のうちのこの入出門ＩＤカードを発行した施設に設けられた入出門ＩＤカード管理装置２０，３０に送信する異常判定部１４を備える。【選択図】図１
2009098944.tif 000002
【特許請求の範囲】
【請求項１】
入出門ＩＤカード統合管理装置（１０）と、
複数の施設にそれぞれ設けられた、かつ、前記入出門ＩＤカード統合管理装置と通信回線（４０）を介して相互接続された複数の入出門ＩＤカード管理装置（２０，３０）と、
を具備する入出門ＩＤカード管理システムであって、
前記入出門ＩＤカード統合管理装置が、
前記複数の入出門ＩＤカード管理装置からそれぞれ送信されてくる、かつ、前記複数の施設でそれぞれ発行された入出門ＩＤカードに関するデータを、施設毎に入出門ＩＤカードデータベース（１６）に登録する入出門ＩＤカード登録部（１１）と、
前記複数の入出門ＩＤカード管理装置から送信されてくる、かつ、前記複数の施設のそれぞれにおける入出門状況に関するデータを、施設毎に入出門状況データベース（１７）に登録する入出門状況管理部（１３）と、
前記入出門状況データベースに格納されている入出門状況に関するデータを読み出して、特定の入出門ＩＤカードについて異常な入出門が行われていないかをチェックし、異常な入出門が行われている入出門ＩＤカードが見つかると、その旨を、前記複数の施設のうちの該入出門ＩＤカードを発行した施設に設けられた入出門ＩＤカード管理装置に送信する異常判定部（１４）とを備える、
ことを特徴とする、入出門ＩＤカード管理システム。
【請求項２】
前記入出門ＩＤカード統合管理装置が、前記複数の入出門ＩＤカード管理装置から送信されてくる、かつ、前記複数の施設のそれぞれで再発行された入出門ＩＤカードに関するデータを、施設毎に前記入出門ＩＤカードデータベースに登録する再発行ＩＤカード登録部（１２）をさらに備え、
前記異常判定部が、前記入出門ＩＤカードデータベースに格納されている再発行された入出門ＩＤカードに関するデータを読み出して、異常な再発行がされていないかをチェックし、異常な再発行が見つかると、その旨を、前記複数の施設のうちの該入出門ＩＤカードを再発行した施設に設けられた入出門ＩＤカード管理装置に送信する、
ことを特徴とする、請求項１記載の入出門ＩＤカード管理システム。
【請求項３】
再発行ＩＤ番号として、再発行前の入出門ＩＤカードのＩＤ番号に、再発行を示す識別記号と再発行回数とを付加したものを用いることを特徴とする、請求項１または２記載の入出門ＩＤカード管理システム。
【請求項４】
前記異常判定部が、前記再発行ＩＤ番号に示されている再発行回数に基づいて、ある一定期間における再発行回数または該再発行回数の統計値を求め、該求めた再発行回数または再発行回数の統計値に基づいて、人、施設または日時に起因する不正を摘発するための警告を発することを特徴とする、請求項１乃至３いずれかに記載の入出門ＩＤカード管理システム。
【請求項５】
入出門ＩＤカード統合管理装置（１０）の入出門状況管理部（１３）が、複数の施設にそれぞれ設けられた複数の入出門ＩＤカード管理装置（２０，３０）からそれぞれ送信されてくる入出門状況テーブルに基づいて、入出門状況データベース（１７）に施設毎に格納されている入出門状況テーブルを更新するステップ（Ｓ１４）と、
前記入出門ＩＤカード統合管理装置の異常判定部（１４）が、前記入出門状況データベースに施設毎に格納されている前記入出門状況テーブルを読み出して、各施設における入出門状況に異常がなかったか否かを判定し、異常な入出門が行われている入出門ＩＤカードが見つかると、その旨を前記複数の施設のうちの該入出門ＩＤカードを発行した施設に設けられた入出門ＩＤカード管理装置に送信するステップ（Ｓ１５）と、
を具備することを特徴とする、入出門ＩＤカード管理方法。
【請求項６】
入出門ＩＤカードの再発行の申請があると、再発行要求信号と共に、該入出門ＩＤカードのＩＤ番号、紛失日、再発行理由および再発行日が、入力装置を用いて、前記複数の施設のうちの該入出門ＩＤカードの再発行をする施設に設けられた入出門ＩＤカード管理装置に入力されるステップ（Ｓ２１）と、
前記入出門ＩＤカード管理装置の再発行ＩＤカード登録部が、前記入力装置から入力された再発行要求信号に応じて、前記入力されたＩＤ番号に基づいて入出門ＩＤカードを無効にするステップ（Ｓ２２）と、
前記再発行ＩＤカード登録部が、前記入出門ＩＤカード管理装置に備えられた入出門ＩＤカードデータベース（２５）に格納されている再発行入出門ＩＤカードテーブルを読み出して、前記入力されたＩＤ番号、前記入力された紛失日、前記入力された再発行理由、前記入力された再発行日および再発行ＩＤ番号を示したデータを前記再発行入出門ＩＤカードテーブルに追加して前記入出門ＩＤカード管理装置に備えられた前記入出門ＩＤカードデータベースに格納するステップ（Ｓ２３）と、
前記再発行ＩＤカード登録部が、前記入出門ＩＤカード管理装置に備えられた前記入出門状況データベースに格納されている再発行入出門ＩＤカードテーブルを読み出して、前記入出門ＩＤカード統合管理装置に送信するステップ（Ｓ２４）と、
前記入出門ＩＤカード統合管理装置の再発行ＩＤカード登録部が、前記入出門ＩＤカード管理装置から送信されてくる再発行ＩＤカードテーブルに基づいて、該入出門ＩＤカード統合管理装置に備えられた入出門ＩＤカードベース（１６）に施設毎に格納されている再発行ＩＤカードテーブルを更新するステップ（Ｓ２５）と、
前記入出門ＩＤカード統合管理装置の前記異常判定部が、該入出門ＩＤカード統合管理装置に備えられた前記入出門ＩＤカードデータベースに施設毎に格納されている前記再発行ＩＤカードテーブルを読み出して、各施設における入出門ＩＤカードの再発行に異常がなかったか否かを判定するステップ（Ｓ２６）と、
をさらに具備することを特徴とする、請求項５記載の入出門ＩＤカード管理方法。
【請求項７】
再発行ＩＤ番号として、再発行前の入出門ＩＤカードのＩＤ番号に、再発行を示す識別記号と再発行回数とを付加したものを用いることを特徴とする、請求項５または６記載の入出門ＩＤカード管理方法。
【請求項８】
前記異常判定部が、前記再発行ＩＤ番号に示されている再発行回数に基づいて、ある一定期間における再発行回数または該再発行回数の統計値を求め、該求めた再発行回数または再発行回数の統計値に基づいて、人、施設または日時に起因する不正を摘発するための警告を発することを特徴とする、請求項５乃至７いずれかに記載の入出門ＩＤカード管理方法。
【発明の詳細な説明】
【技術分野】
【０００１】
本発明は、入出門ＩＤカード管理システムおよび入出門ＩＤカード管理方法に関し、特に、火力発電所などの工事に関わる請負人に対して発行される入出門ＩＤカードを管理するのに好適な入出門ＩＤカード管理システムおよび入出門ＩＤカード管理方法に関する。
【背景技術】
【０００２】
電力会社などにおいては、たとえば、発電所の電力設備などの工事に関わる請負人は多業種にわたるとともに多人数であり、請負人が発電所などに入る際のチェックは、一般に、請負人の一人一人に入出門ＩＤカードを発行することにより行われている。また、請負人には、常時作業をする人もいれば、所定の作業期間内にのみ作業をする人もいるため、請負人の入出門の管理は、発電所毎に、入出門の際に請負人に入出門ＩＤカードを提示させたりカード読取装置に挿入させたりして、形式的に行われているにすぎない。さらに、入出門ＩＤカードの管理は、請負人本人または請負会社が行っている。
【０００３】
下記の特許文献１には、多人数の頻繁な入出門の管理を自動化するために、入出門する頻度が高い各個人に個人情報を記録した記録媒体を渡しておき、入門する際、また出門する際には、それを読取装置によって読み取らせ、これをデータ受信装置が受信し、データ受信装置が受信した個人情報のデータを、入出門履歴データ登録手段によって記録媒体から当該情報を読み取った読取時刻と共に入出門データベース装置に登録し、入出門データベース装置に、当該システムの設置されている設備あるいは施設に入門した人、また出門した人の履歴データを蓄積し、必要に応じて、データベース検索手段により入出門データベース装置を所定のテーマで検索し、その検索結果を出力手段から得る、入出門管理システムが開示されている。
【特許文献１】特開２０００−２３１６４６号公報
【発明の開示】
【発明が解決しようとする課題】
【０００４】
近年では、指紋、顔写真および声紋などを用いた生体認証システムのような高度セキュリティシステムが開発されている。しかしながら、このような高度セキュリティシステムを各発電所などに導入すると、多大なコストがかかり、結果的に電気料金の値上げにつながってしまうという問題がある。
また、入出門ＩＤカードによる管理では、入出門ＩＤカードが汚れたり、請負人が入出門ＩＤカードを紛失してしまったり、入出門ＩＤカードが盗まれたりすると、入出門カードの再発行が行われている。しかしながら、再発行前の入出門ＩＤカードの管理を統合的に行わないと、他人が発行前の入出門ＩＤカードを悪用して発電所などに入ることができるという問題がある。
さらに、セキュリティーの観点から、入出門ＩＤカードの再発行を繰り返す発電所、請負会社および請負人をチェックして、警告したり入門を禁止したりする必要がある。
【０００５】
本発明の目的は、複数の施設における入出門状況管理および入出門ＩＤカードの再発行管理を統合的に行うことができる入出門ＩＤカード管理システムおよび入出門ＩＤカード管理方法を提供することにある。
【課題を解決するための手段】
【０００６】
本発明の入出門ＩＤカード管理システム（１）は、入出門ＩＤカード統合管理装置（１０）と、複数の施設にそれぞれ設けられた、かつ、前記入出門ＩＤカード統合管理装置と通信回線（４０）を介して相互接続された複数の入出門ＩＤカード管理装置（２０，３０）とを具備する入出門ＩＤカード管理システムであって、前記入出門ＩＤカード統合管理装置が、前記複数の入出門ＩＤカード管理装置からそれぞれ送信されてくる、かつ、前記複数の施設でそれぞれ発行された入出門ＩＤカードに関するデータを、施設毎に入出門ＩＤカードデータベース（１６）に登録する入出門ＩＤカード登録部（１１）と、前記複数の入出門ＩＤカード管理装置から送信されてくる、かつ、前記複数の施設のそれぞれにおける入出門状況に関するデータを、施設毎に入出門状況データベース（１７）に登録する入出門状況管理部（１３）と、前記入出門状況データベースに格納されている入出門状況に関するデータを読み出して、特定の入出門ＩＤカードについて異常な入出門が行われていないかをチェックし、異常な入出門が行われている入出門ＩＤカードが見つかると、その旨を、前記複数の施設のうちの該入出門ＩＤカードを発行した施設に設けられた入出門ＩＤカード管理装置に送信する異常判定部（１４）とを備えることを特徴とする。
ここで、前記入出門ＩＤカード統合管理装置が、前記複数の入出門ＩＤカード管理装置から送信されてくる、かつ、前記複数の施設のそれぞれで再発行された入出門ＩＤカードに関するデータを、施設毎に前記入出門ＩＤカードデータベースに登録する再発行ＩＤカード登録部（１２）をさらに備え、前記異常判定部が、前記入出門ＩＤカードデータベースに格納されている再発行された入出門ＩＤカードに関するデータを読み出して、異常な再発行がされていないかをチェックし、異常な再発行が見つかると、その旨を、前記複数の施設のうちの該入出門ＩＤカードを再発行した施設に設けられた入出門ＩＤカード管理装置に送信してもよい。
再発行ＩＤ番号として、再発行前の入出門ＩＤカードのＩＤ番号に、再発行を示す識別記号と再発行回数とを付加したものを用いてもよい。
前記異常判定部が、前記再発行ＩＤ番号に示されている再発行回数に基づいて、ある一定期間における再発行回数または該再発行回数の統計値を求め、該求めた再発行回数または再発行回数の統計値に基づいて、人、施設または日時に起因する不正を摘発するための警告を発してもよい。
【０００７】
本発明の入出門ＩＤカード管理方法は、入出門ＩＤカード統合管理装置（１０）の入出門状況管理部（１３）が、複数の施設にそれぞれ設けられた複数の入出門ＩＤカード管理装置（２０，３０）からそれぞれ送信されてくる入出門状況テーブルに基づいて、入出門状況データベース（１７）に施設毎に格納されている入出門状況テーブルを更新するステップ（Ｓ１４）と、前記入出門ＩＤカード統合管理装置の異常判定部（１４）が、前記入出門状況データベースに施設毎に格納されている前記入出門状況テーブルを読み出して、各施設における入出門状況に異常がなかったか否かを判定し、異常な入出門が行われている入出門ＩＤカードが見つかると、その旨を前記複数の施設のうちの該入出門ＩＤカードを発行した施設に設けられた入出門ＩＤカード管理装置に送信するステップ（Ｓ１５）とを具備することを特徴とする。
ここで、入出門ＩＤカードの再発行の申請があると、再発行要求信号と共に、該入出門ＩＤカードのＩＤ番号、紛失日、再発行理由および再発行日が、入力装置を用いて、前記複数の施設のうちの該入出門ＩＤカードの再発行をする施設に設けられた入出門ＩＤカード管理装置に入力されるステップ（Ｓ２１）と、前記入出門ＩＤカード管理装置の再発行ＩＤカード登録部が、前記入力装置から入力された再発行要求信号に応じて、前記入力されたＩＤ番号に基づいて入出門ＩＤカードを無効にするステップ（Ｓ２２）と、前記再発行ＩＤカード登録部が、前記入出門ＩＤカード管理装置に備えられた入出門ＩＤカードデータベース（２５）に格納されている再発行入出門ＩＤカードテーブルを読み出して、前記入力されたＩＤ番号、前記入力された紛失日、前記入力された再発行理由、前記入力された再発行日および再発行ＩＤ番号を示したデータを前記再発行入出門ＩＤカードテーブルに追加して前記入出門ＩＤカード管理装置に備えられた前記入出門ＩＤカードデータベースに格納するステップ（Ｓ２３）と、前記再発行ＩＤカード登録部が、前記入出門ＩＤカード管理装置に備えられた前記入出門状況データベースに格納されている再発行入出門ＩＤカードテーブルを読み出して、前記入出門ＩＤカード統合管理装置に送信するステップ（Ｓ２４）と、前記入出門ＩＤカード統合管理装置の再発行ＩＤカード登録部が、前記入出門ＩＤカード管理装置から送信されてくる再発行ＩＤカードテーブルに基づいて、該入出門ＩＤカード統合管理装置に備えられた入出門ＩＤカードベース（１６）に施設毎に格納されている再発行ＩＤカードテーブルを更新するステップ（Ｓ２５）と、
前記入出門ＩＤカード統合管理装置の前記異常判定部が、該入出門ＩＤカード統合管理装置に備えられた前記入出門ＩＤカードデータベースに施設毎に格納されている前記再発行ＩＤカードテーブルを読み出して、各施設における入出門ＩＤカードの再発行に異常がなかったか否かを判定するステップ（Ｓ２６）とをさらに具備してもよい。
再発行ＩＤ番号として、再発行前の入出門ＩＤカードのＩＤ番号に、再発行を示す識別記号と再発行回数とを付加したものを用いてもよい。
前記異常判定部が、前記再発行ＩＤ番号に示されている再発行回数に基づいて、ある一定期間における再発行回数または該再発行回数の統計値を求め、該求めた再発行回数または再発行回数の統計値に基づいて、人、施設または日時に起因する不正を摘発するための警告を発してもよい。
【発明の効果】
【０００８】
本発明の入出門ＩＤカード管理システムおよび入出門ＩＤカード管理方法は、以下の効果を奏する。
（１）発電所のような施設毎に行われていた入出門状況管理および／または入出門ＩＤカードの再発行管理を統合的に行うことにより、ある施設の工事用に発行された入出門ＩＤカードを使用して他の施設に入ろうとするような不正使用や再発行前の入出門ＩＤカードの悪用をチェックすることができる。
（２）入出門ＩＤカードの再発行を統合的に管理することにより、異常な再発行を行ったり繰り返したりする施設、請負会社および請負人をチェックして警告したり入門を禁止したりすることができる。
（３）再発行を示す識別記号および再発行回数をＩＤ番号に付加した再発行ＩＤ番号を採用することにより、入出門ＩＤカードの異常な再発行を容易に見つけることができる。
【発明を実施するための最良の形態】
【０００９】
複数の施設における入出門状況管理および入出門ＩＤカードの再発行管理を統合的に行うという目的を、複数の施設にそれぞれ設けられた入出門ＩＤカード管理装置と通信回線を介して相互接続された入出門ＩＤカード統合管理装置において、各施設における入出門管理状況および再発行状況を管理することにより実現した。
【実施例１】
【００１０】
以下、本発明の入出門ＩＤカード管理システムおよび入出門ＩＤカード管理方法の実施例について、図面を参照して説明する。
本発明の一実施例による入出門ＩＤカード管理システム１は、図１に示すように、本社に設けられた入出門ＩＤカード統合管理装置１０と、Ａ発電所に設けられた第１の入出門ＩＤカード管理装置２０と、Ｂ発電所に設けられた第２の入出門ＩＤカード管理装置３０とを具備する。ここで、入出門ＩＤカード統合管理装置１０と第１の入出門ＩＤカード管理装置２０と第２の入出門ＩＤカード管理装置３０とは通信回線４０を介して相互接続されている。
【００１１】
第１の入出門ＩＤカード管理装置２０は、入出門ＩＤカード登録部２１と、再発行ＩＤカード登録部２２と、入出門状況管理部２３と、送受信部１４とを備える。
入出門ＩＤカード登録部２１は、入力装置（不図示）から入力されるかつＡ発電所で発行された入出門ＩＤカードに関するデータを入出門ＩＤカードデータベース（入出門ＩＤカードＤＢ）２５に登録する。
【００１２】
ここで、Ａ発電所で発行された入出門ＩＤカードに関するデータは、たとえば、表１に示すように、発行順の通し番号からなるＩＤ番号、請負会社を特定するための会社コード、請負人を特定するための社員コード、入出門ＩＤカードの発行日、入出門ＩＤカードの有効期限、および、入出門ＩＤカードが紛失されたか否かを示す紛失コードを、各入出門ＩＤカードについて示した入出門ＩＤカードテーブルとして、入出門ＩＤカードデータベース２５に登録される。
【表１】
2009098944.tif 000003
【００１３】
また、入出門ＩＤカード登録部２１は、定期的にまたは入出門ＩＤカード統合管理装置１０の要求に応じて、入出門ＩＤカードデータベースに格納されているＡ発電所で発行された入出門ＩＤカードに関するデータを読み出して入出門ＩＤカード統合管理装置１０に送信する。
【００１４】
再発行ＩＤカード登録部２２は、入力装置から入力されるかつＡ発電所で再発行された入出門ＩＤカードに関するデータを入出門ＩＤカードデータベース２５に登録する。
ここで、Ａ発電所で再発行された入出門ＩＤカードに関するデータは、たとえば、表２に示すように、再発行前の入出門ＩＤカードのＩＤ番号、入出門ＩＤカードの紛失日、再発行理由、再発行日、および、再発行ＩＤ番号を、各再発行された入出門ＩＤカードについて示した再発行入出門ＩＤカードテーブルとして、入出門ＩＤカードデータベース２５に登録される。
【表２】
2009098944.tif 000004
【００１５】
なお、再発行ＩＤ番号として、再発行前の入出門ＩＤカードのＩＤ番号の先頭に、再発行を示す記号である「Ｒ」と、その入出門ＩＤカードについての再発行回数を示す数字とを付加したものを用いることにより、入出門ＩＤカードについて何回再発行がされたかを再発行ＩＤ番号から分かるようにすることができる。
【００１６】
また、再発行ＩＤカード登録部２２は、定期的にまたは入出門ＩＤカード統合管理装置１０の要求に応じて、入出門ＩＤカードデータベース２５に格納されているＡ発電所で再発行された入出門ＩＤカードに関するデータを読み出して入出門ＩＤカード統合管理装置１０に送信する。
【００１７】
入出門状況管理部２３は、Ａ発電所における入出門状況に関するデータ入出門状況データベース（入出門状況ＤＢ）２６に登録する。
また、入出門状況管理部２３は、定期的にまたは入出門ＩＤカード統合管理装置１０の要求に応じて、データ入出門状況データベース２６に格納されているＡ発電所における入出門状況に関するデータを読み出して、入出門ＩＤカード統合管理装置１０に送信する。
【００１８】
送受信部２４は、第１の入出門ＩＤカード管理装置２０と入出門ＩＤカード統合管理装置１０との間の各種のデータの送受信を通信回線４０を介して行う。
【００１９】
第２の入出門ＩＤカード管理装置３０は、第１の入出門ＩＤカード管理装置２０と同様の構成を有する。
【００２０】
入出門ＩＤカード統合管理装置１０は、入出門ＩＤカード登録部１１と、再発行ＩＤカード登録部１２と、入出門状況管理部１３と、異常判定部１４と、送受信部１５とを備える。
入出門ＩＤカード登録部１１は、第１および第２の入出門ＩＤカード管理装置２０，３０からそれぞれ送信されてくるＡ発電所で発行された入出門ＩＤカードに関するデータおよびＢ発電所で発行された入出門ＩＤカードに関するデータを、発電所毎に入出門ＩＤカードデータベース（入出門ＩＤカードＤＢ）１６に登録する。
【００２１】
再発行ＩＤカード登録部１２は、第１および第２の入出門ＩＤカード管理装置２０，３０からそれぞれ送信されてくるＡ発電所で再発行された入出門ＩＤカードに関するデータおよびＢ発電所で再発行された入出門ＩＤカードに関するデータを、発電所毎に入出門ＩＤカードデータベース１６に登録する。
【００２２】
入出門状況管理部１３は、第１および第２の入出門ＩＤカード管理装置２０，３０からそれぞれ送信されてくるＡ発電所における入出門状況に関するデータおよびＢ発電所における入出門状況に関するデータを、発電所毎に入出門状況データベース（入出門状況ＤＢ）１７に登録する。
【００２３】
異常判定部１４は、定期的にまたは必要に応じて、入出門状況データベース１７に格納されている入出門状況に関するデータを読み出して、特定の入出門ＩＤカードについて異常な入出門が行われていないかをチェックし、異常な入出門が行われている入出門ＩＤカードが見つかると、その旨を、この入出門ＩＤカードを発行または再発行した施設（Ａ発電所またはＢ発電所）に設けられた入出門ＩＤカード管理装置（第１または第２の入出門ＩＤカード管理装置２０，３０）に送信する。
【００２４】
また、異常判定部１４は、定期的にまたは必要に応じて、入出門ＩＤカードデータベース１６に格納されている再発行された入出門ＩＤカードに関するデータを読み出して、異常な再発行がされていないかをチェックし、異常な再発行が見つかると、その旨を、この入出門ＩＤカードを再発行した施設（Ａ発電所またはＢ発電所）に設けられた入出門ＩＤカード管理装置（第１または第２の入出門ＩＤカード管理装置２０，３０）に送信する。
【００２５】
送受信部１５は、入出門ＩＤカード統合管理装置１０と第１および第２の入出門ＩＤカード管理装置２０，３０との間の各種のデータの送受信を通信回線４０を介して行う。
【００２６】
次に、本実施例による入出門ＩＤカード管理システム１の動作（本発明の一実施例による入出門ＩＤカード管理方法）について説明する。
まず、入出門ＩＤカード管理システム１の入出門状況管理動作について、表１に示すＩＤ番号“０００００００１”の入出門ＩＤカードを有する請負人ｘ（会社コード“０００１”の請負会社Ｘに所属し、社員コード“１０００００１２”）が、有効期限である２００５年３月３１日を過ぎた２００５年４月１日にＡ発電所に入ろうとした場合を例として、図２に示すフローチャートを参照して説明する。
【００２７】
請負人ｘがＡ発電所に入るために入出門ＩＤカードをカード読取装置に挿入すると、この入出門ＩＤカードのＩＤ番号“０００００００１”がカード読取装置から第１の入出門ＩＤカード管理装置２０に入力される（ステップＳ１１）。
【００２８】
第１の入出門ＩＤカード管理装置２０の入出門状況管理部２３は、カード読取装置から入力されたＩＤ番号“０００００００１”に基づいて、入出門ＩＤカードデータベース２５に格納されている入出門ＩＤカードテーブル（表１）を検索して、入出門ＩＤカードテーブルのＩＤ番号“０００００００１”に関する「有効期限」が“２００５／０３／３１”であることを確認すると、請負人ｘの入門不許可を示す警報を表示装置（不図示）に表示させるとともに、入出門状況データベース２６に格納されている入出門状況テーブルを読み出して、ＩＤ番号“０００００００１”の入出門状況に「２００５年４月１日に有効期限を過ぎて入門しようとした」旨を付加したのちに、入出門状況テーブルを入出門状況データベース２６に格納する（ステップＳ１２）。
【００２９】
その後、入出門状況管理部２３は、定期的に、または、入出門ＩＤカード統合管理装置１０の要求に応じて、入出門状況データベース２６に格納されている入出門状況テーブルを読み出して、入出門ＩＤカード統合管理装置１０に送受信部２４を介して送信する（ステップＳ１３）。
【００３０】
入出門ＩＤカード統合管理装置１０の入出門状況管理１３は、第１の入出門ＩＤカード管理装置２０から送受信部１５を介して送信されてくる入出門状況テーブルに基づいて、入出門状況データベース１７に発電所毎に格納されている入出門状況テーブルを更新する（ステップＳ１４）。
【００３１】
異常判定部１４は、定期的にまたは必要に応じて、入出門状況データベース１７に発電所毎に格納されている入出門状況テーブルを読み出して、各発電所における入出門状況に異常がなかったか否かを判定し、異常な入出門が行われている入出門ＩＤカードが見つかると、その旨をこの入出門ＩＤカードを発行したＡ発電所またはＢ発電所に設けられた入出門ＩＤカード管理装置２０，３０に送信する（ステップＳ１５）。
たとえば、異常判定部１４は、ある一定期間（たとえば１ヶ月）における上述したような有効期限を過ぎた入出門などの異常入出門回数をＩＤ番号毎に求め、異常入出門回数の多い発電所、請負会社および請負人などをチェックして、チェック結果をこの入出門ＩＤカードを発行したＡ発電所またはＢ発電所に設けられた入出門ＩＤカード管理装置２０，３０に送信する。
なお、異常判定部１４は、異常入出門回数を統計処理（たとえば、相対的な平均異常入出門密度を求めるなど）し、異常入出門を繰り返す発電所、請負会社および請負人などをチェックして、チェック結果を表示装置に表示したり出力装置に出力したりしてもよい。
【００３２】
これにより、入出門ＩＤカードが不正に使用されている発電所に対して改善を求めたり、入出門ＩＤカードを不正に使用する請負会社および請負人を特定して、警告を発したり入出門を全面禁止したりすることができる。その結果、請負人（人）、発電所（施設）または日時に起因する不正を摘発するための警告を発することができる。
【００３３】
次に、本実施例による入出門ＩＤカード管理システム１の再発行管理動作について、表１に示すＩＤ番号“０００００００１”の入出門ＩＤカードを有する請負人ｘが２００５年２月１０日に入出門ＩＤカードを紛失してしまい、請負会社Ｘが請負人ｘの入出門ＩＤカードの再発行を２００５年３月１日にＡ発電所の担当者に申請した場合を例として、図３に示すフローチャートを参照して説明する。
【００３４】
Ａ発電所の担当者は、請負会社Ｘから請負人ｘの入出門ＩＤカードの再発行の申請があると、再発行要求信号と共に、請負人ｘの入出門ＩＤカードのＩＤ番号“０００００００１”、紛失日“２００５／０２／１０”、再発行理由“紛失”および再発行日“２００５／０３／０１”を、入力装置を用いて第１の入出門ＩＤカード管理装置２０に入力する（ステップＳ２１）。
【００３５】
第１の入出門ＩＤカード管理装置２０の再発行ＩＤカード登録部２２は、入力装置から入力された再発行要求信号に応じて、入力されたＩＤ番号“０００００００１”に基づいて、入出門ＩＤカードデータベース２５に格納されている入出門ＩＤカードテーブル（表１）を検索して、入出門ＩＤカードテーブルのＩＤ番号“０００００００１”に関する「紛失コード」が“０”であることを確認すると、「紛失コード」を“０”から“１”に変更することにより、ＩＤ番号“０００００００１”の入出門ＩＤカードを無効にする（ステップＳ２２）。
【００３６】
また、再発行ＩＤカード登録部２２は、入力されたＩＤ番号“０００００００１”に再発行を示す“Ｒ”と再発行回数を示す“１”とを付加した再発行ＩＤ番号“Ｒ１０００００００１”を生成する。その後、再発行ＩＤカード登録部２２は、入出門ＩＤカードデータベース２５に格納されている再発行入出門ＩＤカードテーブル（表２）を読み出して、入力されたＩＤ番号“０００００００１”、入力された紛失日“２００５／０２／１０”、入力された再発行理由“紛失”入力された再発行日“２００５／０３／０１”および生成した再発行ＩＤ番号“Ｒ１０００００００１”を示したデータを再発行入出門ＩＤカードテーブルに追加して、再発行入出門ＩＤカードテーブルを入出門ＩＤカードデータベース２５に格納する（ステップＳ２３）。
【００３７】
その後、再発行ＩＤカード登録部２２は、定期的に、または、入出門ＩＤカード統合管理装置１０の要求に応じて、入出門状況データベース２６に格納されている再発行入出門ＩＤカードテーブルを読み出して、入出門ＩＤカード統合管理装置１０に送受信部２４を介して送信する（ステップＳ２４）。
【００３８】
入出門ＩＤカード統合管理装置１０の再発行ＩＤカード登録部１２は、第１の入出門ＩＤカード管理装置２０から送受信部１５を介して送信されてくる再発行ＩＤカードテーブルに基づいて、入出門状況データベース１７に発電所毎に格納されている再発行ＩＤカードテーブルを更新する（ステップＳ２５）。
【００３９】
異常判定部１４は、定期的にまたは必要に応じて、入出門ＩＤカードデータベース１６に発電所毎に格納されている再発行ＩＤカードテーブルを読み出して、各発電所における入出門ＩＤカードの再発行に異常がなかったか否かを判定し、異常な再発行が見つかると、その旨をこの入出門ＩＤカードを発行した発電所（Ａ発電所またはＢ発電所）に設けられた入出門ＩＤカード管理装置２０，３０に送信する（ステップＳ２６）。
たとえば、異常判定部１４は、再発行ＩＤカードテーブルに記入されている各再発行ＩＤ番号に示されている再発行回数をチェックし、ある一定期間（たとえば１ヶ月）における再発行回数をＩＤ番号毎に求め、再発行回数の多い発電所、請負会社および請負人などをチェックして、チェック結果をこの入出門ＩＤカードを発行したＡ発電所またはＢ発電所に設けられた入出門ＩＤカード管理装置２０，３０に送信する。
なお、異常判定部１４は、再発行回数を統計処理（たとえば、相対的な平均再発行密度を求めるなど）し、異常な再発行を繰り返す発電所、請負会社および請負人などをチェックしてもよい。
【００４０】
これにより、入出門ＩＤカードが不正に再発行されている発電所に対して改善を求めたり、入出門ＩＤカードを不正に再発行申請する請負会社および請負人を特定して、警告を発したり入出門を全面禁止したりすることができる。その結果、請負人（人）、発電所（施設）または日時に起因する不正を摘発するための警告を発することができる。
【００４１】
以上の説明では、再発行ＩＤ番号として、再発行前の入出門ＩＤカードのＩＤ番号の先頭に、再発行を示す記号である「Ｒ」と、その入出門ＩＤカードについての再発行回数を示す数字とを付加したものを用いたが、再発行を示す記号および再発行回数を示す数字を付加する場所はＩＤ番号の先頭でなくてもよい。
【産業上の利用可能性】
【００４２】
以上説明したように、本発明の入出門ＩＤカード管理システムおよび入出門ＩＤカード管理方法は、火力発電所などの工事に関わる請負人に対して発行される入出門ＩＤカードを管理するのに利用することができる。
【図面の簡単な説明】
【００４３】
【図１】本発明の一実施例による入出門ＩＤカード管理システムの構成を示す図である。（実施例１）
【図２】図１に示した入出門ＩＤカード管理システム１の動作を説明するためのフローチャートである。（実施例１）
【図３】図１に示した入出門ＩＤカード管理システム１の動作を説明するためのフローチャートである。（実施例１）
【符号の説明】
【００４４】
１  入出門ＩＤカード管理システム
１０  入出門ＩＤカード統合管理装置
１１，２１，３１  入出門ＩＤカード登録部
１２，２２，３２  再発行ＩＤカード登録部
１３，２３，３３  入出門状況管理部
１４  異常判定部
１５，２４，３４  送受信部
１６，２５，３５  入出門ＩＤカードデータベース
１７，２６，３６  入出門状況データベース
２０，３０  入出門ＩＤカード管理装置
４０  通信回線
Ｓ１１〜Ｓ１５，Ｓ２１〜Ｓ２６  ステップ
【図１】
2009098944.tif 000005
【図２】
2009098944.tif 000006
【図３】
2009098944.tif 000007